(57)【要約】【課題】通常画像形成手段でイエロー色、マゼンタ色、及びシアン色の複数のトナーを用いて通常画像を記録媒体に形成する際に、再現画像における混色の色味の調整を実施することで、画像情報における混色の色味の再現性が低下することを防止することができる画像形成装置を提供する。【解決手段】特色のトナーから形成される特色パターン画像を記録媒体に形成する特色パターン画像形成手段、イエロー色、マゼンタ色、及びシアン色の複数のトナーから形成されるＮ次色パターン画像を記録媒体に形成するＮ次色パターン画像形成手段、特色パターン画像の色とＮ次色パターン画像の色とを比較するパターン画像色比較手段、並びに、パターン画像色比較手段で比較した結果に基づいてイエロー色、マゼンタ色、及びシアン色の一又は複数の画像形成信号又は画像形成条件を補正する補正手段を備えることを特徴とする画像形成装置。【選択図】図２
2007279267.tif 000002
【特許請求の範囲】
【請求項１】
イエロー色、マゼンタ色、シアン色、及びブラック色の一又は複数のトナーを用いて記録媒体に通常画像を形成する通常画像形成手段、並びに、イエロー色、マゼンタ色、シアン色、及びブラック色以外の特色のトナーを用いて記録媒体に特色画像を形成する特色画像形成手段を備える画像形成装置において、
特色のトナーから形成される特色パターン画像を特色画像形成手段で記録媒体に形成する特色パターン画像形成手段、イエロー色、マゼンタ色、及びシアン色の複数のトナーから形成されるＮ次色パターン画像を通常画像形成手段で記録媒体に形成するＮ次色パターン画像形成手段、特色パターン画像形成手段で形成された特色パターン画像の色とＮ次色パターン画像形成手段で形成されたＮ次色パターン画像の色とを比較するパターン画像色比較手段、並びに、パターン画像色比較手段で比較した結果に基づいてイエロー色、マゼンタ色、及びシアン色の一又は複数の画像形成信号又は画像形成条件を補正する補正手段を備えることを特徴とする画像形成装置。
【請求項２】
特色のトナーの色を判別する特色判別手段、並びに、特色判別手段の判別情報に基づいて特色となるようにＮ次色パターン画像形成手段でＮ次色パターン画像を形成するイエロー色、マゼンタ色、及びシアン色の複数のトナーの使用割合を決定する使用割合決定手段を有する請求項１に記載の画像形成装置。
【請求項３】
特色判別手段は、特色画像形成手段に設けられている特色の色情報を記憶する色情報記憶手段、及び色情報記憶手段に記憶されている特色の色情報を読み出す色情報読出手段である請求項２に記載の画像形成装置。
【請求項４】
使用割合決定手段で決定したイエロー色、マゼンタ色、及びシアン色の複数のトナーの使用割合で形成したＮ次色パターン画像に対して、イエロー色、マゼンタ色、及びシアン色の複数のトナーの使用割合又はイエロー色、マゼンタ色、及びシアン色の一又は複数の画像形成条件を複数段階に変更したＮ次色パターン画像を複数形成するＮ次色パターン画像複数形成手段を有する請求項２に記載の画像形成装置。
【請求項５】
パターン画像色比較手段は、記録媒体に形成された特色パターン画像の色とＮ次色パターン画像形成手段で形成されたＮ次色パターン画像の色とを目視で比較することでカラーバランスをマニュアル調整するマニュアル調整手段である請求項２又は４に記載の画像形成装置。
【請求項６】
パターン画像色比較手段は、記録媒体に形成された特色パターン画像の色とＮ次色パターン画像形成手段で形成されたＮ次色パターン画像の色とをカラー検知手段で比較することでカラーバランスを自動調整する自動調整手段である請求項２又は４に記載の画像形成装置。
【請求項７】
画像情報に基づいてイエロー色、マゼンタ色、及びシアン色の複数のトナーによる通常画像を形成する際に、イエロー色、マゼンタ色、及びシアン色の複数のトナーによる通常画像の一部を特色のトナーによる特色画像に置換する通常画像置換手段を有する請求項２又は４に記載の画像形成装置。
【請求項８】
画像情報に基づいてイエロー色、マゼンタ色、及びシアン色の複数のトナーによる通常画像を形成する際に、特色のトナーが消尽した場合、特色画像を、イエロー色、マゼンタ色、及びシアン色の複数のトナーによる通常画像に置換する特色画像置換手段を有する請求項２又は４に記載の画像形成装置。
【請求項９】
特色画像形成手段は、特色を他の特色に交換することができる請求項１に記載の画像形成装置。
【請求項１０】
イエロー色、マゼンタ色、シアン色、及びブラック色の一又は複数のトナーを用いて記録媒体に通常画像を形成する通常画像形成手段、並びに、イエロー色、マゼンタ色、シアン色、及びブラック色以外の特色のトナーを用いて記録媒体に特色画像を形成する特色画像形成手段を備える画像形成装置において、
像担持体の周面に色の濃度を検出するための濃度パターンを形成する濃度パターン形成手段、濃度パターン形成手段で形成された濃度パターンの色の濃度を検出する濃度検出手段、濃度検出手段で検出した特色の濃度に基づいて濃度検出手段を較正する較正手段を有することを特徴とする画像形成装置。
【発明の詳細な説明】
【技術分野】
【０００１】
本発明は、プリンタ、複写機、及びファクシミリ、並びにこれらの機能を兼ね備えた複合機である画像形成装置に関する。
【背景技術】
【０００２】
【特許文献１】特開昭６３−０７１８６７号公報
【特許文献２】特開平１１−０５２６６０号公報
【０００３】
従来、イエロー色、マゼンタ色、シアン色、及びブラック色の一又は複数のトナーを用いて記録媒体に通常画像を形成する通常画像形成手段、並びに、イエロー色、マゼンタ色、シアン色、及びブラック色以外の特色のトナーを用いて記録媒体に特色画像を形成する特色画像形成手段を備える画像形成装置が知られている。
【０００４】
具体的に、上記の画像形成装置としては、下記のものが開示されている。
【０００５】
第１に、感光体上に形成された潜像を互いに異なる複数色の夫々の色で現像する複数の現像手段と、上記複数色の夫々で現像さるべき画像情報を有する光線で感光体を露光し潜像を形成する書込み手段とを有し、上記書込み手段により感光体上に形成された各潜像を上記の各現像手段で現像し、形成された各色トナー像を同一転写紙に転写してカラーコピーを作成するカラー複写装置において、上記の現像手段が少なくとも５個以上備えられ、その４個は夫々、イエロー、マゼンタ、シアン及びブラックの現像剤を有し、他の現像手段は視覚的特徴を形成するための現像剤を有することを特徴とするカラー複写装置である（特許文献１参照）。
本例によれば、通常のフルカラー複写機に備えられているイエロー、マゼンタ、シアン、黒の４色の現像装置の他に、特殊な現像剤を内蔵した現像装置を設けることにより、通常のフルカラーコピーはもとより、通常の４色の現像剤では再現不可能な視覚的に特色のある原稿の再現又は特色のあるコピーを作成することが可能となる。
【０００６】
第２に、入力された信号を複数色の画像出力信号に変換する画像処理手段、該画像処理部で変換された画像出力信号によりカラー画像を形成する画像形成手段を有するカラー画像形成装置において、前記画像形成手段は、各色の前記画像出力信号に応じて像担持体上あるいは被記録媒体上に通常のカラー画像を形成するために用いられるトナーを用いてトナー像を形成する複数のトナー像形成手段と、通常のカラー画像を形成するために用いられるトナー以外に色特性を変化させる付加トナーによるトナー像を形成する付加トナー像形成手段と、像担持体上あるいは被記録媒体上に形成されたトナー像を被記録媒体に定着させる定着手段を有し、前記画像処理手段は、入力された信号を複数色の画像出力信号に変換する際に、入力された信号の色特性に基づいて前記付加トナー像形成手段でトナー像を形成する際の付加トナー量を決定することを特徴とするカラー画像形成装置である（特許文献２参照）。
本例によれば、色特性を変化させる付加トナーを備え、入力された画像信号の色特性に基づいて、付加トナー量を補正することによって、不要な分光スペクトルが発生することなく色再現範囲を拡大し、良好な色再現を行なって画質を向上させることができるという効果がある。
【発明の開示】
【発明が解決しようとする課題】
【０００７】
しかしながら、上記従来技術では、第１に、通常画像形成手段でイエロー色、マゼンタ色、及びシアン色の複数のトナーを用いて通常画像を記録媒体に形成する際に、トナー総量が所定値を超える場合があって、トナー像を担持している像担持体から記録媒体にトナー像を転写する転写工程、及び記録媒体に転写されたトナー像を記録媒体に定着する定着工程において、転写不良及び定着不良が発生するという問題がある。
第２に、通常画像形成手段でイエロー色、マゼンタ色、及びシアン色の複数のトナーを用いて通常画像を記録媒体に形成する際に、再現画像における混色の色味の調整を実施していないため、画像情報における混色の色味の再現性が低下する可能性があるという問題がある。
第３に、特色画像形成手段でイエロー色、マゼンタ色、シアン色、及びブラック色以外の特色のトナーを用いて記録媒体に形成される特色画像と、通常画像形成手段でイエロー色、マゼンタ色、及びシアン色の複数のトナーを用いて記録媒体に形成される通常画像との色味が合わないため、再現画像における色味の連続性が損なわれ再現画像においてトーンジャンプが発生する可能性があるという問題がある。
【０００８】
そこで、本発明は、上記従来技術の課題を解決するためになされたものであって、その目的とするところは、通常画像形成手段でイエロー色、マゼンタ色、及びシアン色の複数のトナーを用いて通常画像を記録媒体に形成する際のトナー総量を低減することで、転写工程及び定着工程において転写不良及び定着不良が発生することを防止する、また、通常画像形成手段でイエロー色、マゼンタ色、及びシアン色の複数のトナーを用いて通常画像を記録媒体に形成する際に、再現画像における混色の色味の調整を実施することで、画像情報における混色の色味の再現性が低下することを防止する、また、特色画像形成手段でイエロー色、マゼンタ色、シアン色、及びブラック色以外の特色のトナーを用いて記録媒体に形成される特色画像と、通常画像形成手段でイエロー色、マゼンタ色、及びシアン色の複数のトナーを用いて記録媒体に形成される通常画像との色味が合わないため、再現画像における色味の連続性が損なわれ再現画像においてトーンジャンプが発生することを防止することができる画像形成装置を提供することにある。
【課題を解決するための手段】
【０００９】
即ち、本発明は、イエロー色、マゼンタ色、シアン色、及びブラック色の一又は複数のトナーを用いて記録媒体に通常画像を形成する通常画像形成手段、並びに、イエロー色、マゼンタ色、シアン色、及びブラック色以外の特色のトナーを用いて記録媒体に特色画像を形成する特色画像形成手段を備える画像形成装置において、特色のトナーから形成される特色パターン画像を特色画像形成手段で記録媒体に形成する特色パターン画像形成手段、イエロー色、マゼンタ色、及びシアン色の複数のトナーから形成されるＮ次色パターン画像を通常画像形成手段で記録媒体に形成するＮ次色パターン画像形成手段、特色パターン画像形成手段で形成された特色パターン画像の色とＮ次色パターン画像形成手段で形成されたＮ次色パターン画像の色とを比較するパターン画像色比較手段、並びに、パターン画像色比較手段で比較した結果に基づいてイエロー色、マゼンタ色、及びシアン色の一又は複数の画像形成信号又は画像形成条件を補正する補正手段を備えることを特徴とする画像形成装置である。
これによれば、通常画像形成手段でイエロー色、マゼンタ色、及びシアン色の複数のトナーを用いて通常画像を記録媒体に形成する際に、再現画像における混色の色味の調整を実施することで、画像情報における混色の色味の再現性が低下することを防止する、また、特色画像形成手段でイエロー色、マゼンタ色、シアン色、及びブラック色以外の特色のトナーを用いて記録媒体に形成される特色画像と、通常画像形成手段でイエロー色、マゼンタ色、及びシアン色の複数のトナーを用いて記録媒体に形成される通常画像との色味が合わないため、再現画像における色味の連続性が損なわれ再現画像においてトーンジャンプが発生することを防止することができる。
【００１０】
また、本発明は、特色のトナーの色を判別する特色判別手段、並びに、特色判別手段の判別情報に基づいて特色となるようにＮ次色パターン画像形成手段でＮ次色パターン画像を形成するイエロー色、マゼンタ色、及びシアン色の複数のトナーの使用割合を決定する使用割合決定手段を有する。
【００１１】
また、本発明において、特色判別手段は、特色画像形成手段に設けられている特色の色情報を記憶する色情報記憶手段、及び色情報記憶手段に記憶されている色情報を読み出す色情報読出手段である。
【００１２】
また、本発明は、使用割合決定手段で決定したイエロー色、マゼンタ色、及びシアン色の複数のトナーの使用割合で形成したＮ次色パターン画像に対して、イエロー色、マゼンタ色、及びシアン色の複数のトナーの使用割合又はイエロー色、マゼンタ色、及びシアン色の一又は複数の画像形成条件を複数段階に変更したＮ次色パターン画像を複数形成するＮ次色パターン画像複数形成手段を有する。
【００１３】
また、本発明において、パターン画像色比較手段は、記録媒体に形成された特色パターン画像の色とＮ次色パターン画像形成手段で形成されたＮ次色パターン画像の色とを目視で比較することでカラーバランスをマニュアル調整するマニュアル調整手段を有する。
【００１４】
また、本発明において、パターン画像色比較手段は、記録媒体に形成された特色パターン画像の色とＮ次色パターン画像形成手段で形成されたＮ次色パターン画像の色とをカラー検知手段で比較することでカラーバランスを自動調整する自動調整手段を有する。
【００１５】
また、本発明は、画像情報に基づいてイエロー色、マゼンタ色、及びシアン色の複数のトナーによる通常画像を形成する際に、イエロー色、マゼンタ色、及びシアン色の複数のトナーによる通常画像の一部を特色のトナーによる特色画像に置換する通常画像置換手段を有する。
【００１６】
また、本発明は、画像情報に基づいてイエロー色、マゼンタ色、及びシアン色の複数のトナーによる通常画像を形成する際に、特色のトナーが消尽した場合、特色画像を、イエロー色、マゼンタ色、及びシアン色の複数のトナーによる通常画像に置換する特色画像置換手段を有する。
【００１７】
また、本発明において、特色画像形成手段は、特色を他の特色に交換することができる。
【００１８】
また、本発明は、イエロー色、マゼンタ色、シアン色、及びブラック色の一又は複数のトナーを用いて記録媒体に通常画像を形成する通常画像形成手段、並びに、イエロー色、マゼンタ色、シアン色、及びブラック色以外の特色のトナーを用いて記録媒体に特色画像を形成する特色画像形成手段を備える画像形成装置において、像担持体の周面に色の濃度を検出するための濃度パターンを形成する濃度パターン形成手段、濃度パターン形成手段で形成された濃度パターンの色の濃度を検出する濃度検出手段、濃度検出手段で検出した特色の濃度に基づいて濃度検出手段を較正する較正手段を有することを特徴とする画像形成装置である。
これによれば、濃度パターン形成手段で像担持体の周面に形成された特色の濃度パターンを濃度検出手段で検出して較正手段で濃度検出手段の較正を実行するため、濃度検出手段のバラツキを抑制することができて濃度検出手段の検出精度を向上することができる。
【発明の効果】
【００１９】
本発明によれば、通常画像形成手段でイエロー色、マゼンタ色、及びシアン色の複数のトナーを用いて通常画像を記録媒体に形成する際のトナー総量を、画像情報に基づいてイエロー色、マゼンタ色、及びシアン色の複数のトナーによる通常画像を形成する際に、イエロー色、マゼンタ色、及びシアン色の複数のトナーによる通常画像の一部を特色のトナーによる特色画像に置換して低減することで、転写工程及び定着工程において転写不良及び定着不良が発生することを防止する、また、通常画像形成手段でイエロー色、マゼンタ色、及びシアン色の複数のトナーを用いて通常画像を記録媒体に形成する際に、再現画像における混色の色味の調整を実施することで、画像情報における混色の色味の再現性が低下することを防止する、また、特色画像形成手段でイエロー色、マゼンタ色、シアン色、及びブラック色以外の特色のトナーを用いて記録媒体に形成される特色画像と、通常画像形成手段でイエロー色、マゼンタ色、及びシアン色の複数のトナーを用いて記録媒体に形成される通常画像との色味が合わないため、再現画像における色味の連続性が損なわれ再現画像においてトーンジャンプが発生することを防止することができる画像形成装置を提供することができる。
また、濃度パターン形成手段で像担持体の周面に形成された特色の濃度パターンを濃度検出手段で検出して較正手段で濃度検出手段の較正を実行するため、濃度検出手段のバラツキを抑制することができて濃度検出手段の検出精度を向上することができる画像形成装置を提供することができる。
【発明を実施するための最良の形態】
【００２０】
以下に、本発明の実施形態について図面を参照して説明する。
【００２１】
[第１実施形態]
図１〜図５は、本発明に係る画像形成装置おける第１実施形態を示す図である。
【００２２】
図１は、本実施形態における画像形成装置としてのタンデム方式のフルカラープリンタ１を示す図である。尚、フルカラープリンタ１は、画像読取装置を備え、フルカラーの複写機としても機能するようになっている。
【００２３】
フルカラープリンタ１の上部の一端には、原稿２の画像を読み取る画像読取装置４が配設されている。画像読取装置４は、プラテンカバー３によってカバーされてプラテンガラス５上に載置された原稿２を光源６によって照明し、原稿２からの反射光像を、フルレートミラー７、ハーフレートミラー８、９及び結像レンズ１０からなる縮小光学系を介してＣＣＤ等からなる画像読取素子１１上に走査露光して、画像読取素子１１によって原稿２の画像を所定のドット密度（例えば、１２００ｄｐｉや２４００ｄｐｉ）で読み取るようになっている。
【００２４】
画像読取装置４によって読み取られた原稿２の画像は、例えば、赤色、緑色、及び青色（各８ｂｉｔ）の３色の画像データとして画像処理装置１２に送られる。画像処理装置１２では、原稿２の画像データに対して所定の画像処理が施される。
【００２５】
画像処理装置１２で所定の画像処理が施された画像データは、特色（Ｔ）、イエロー色（Ｙ）、マゼンタ色（Ｍ）、シアン色（Ｃ）、及びブラック色（Ｋ）の５色の画像データに変換される。特色（Ｔ）、イエロー色（Ｙ）、マゼンタ色（Ｍ）、シアン色（Ｃ）、及びブラック色（Ｋ）の５色の画像データは、特色（Ｔ）、イエロー色（Ｙ）、マゼンタ色（Ｍ）、シアン色（Ｃ）、及びブラック色（Ｋ）の各色の画像形成部１３Ｔ、１３Ｙ、１３Ｍ、１３Ｃ、１３ＫのＲＯＳ１４Ｔ、１４Ｙ、１４Ｍ、１４Ｃ、１４Ｋに送られる。ＲＯＳ１４Ｔ、１４Ｙ、１４Ｍ、１４Ｃ、１４Ｋでは、各色の画像データに応じてレーザービームＬＢによる画像露光が行われる。
【００２６】
画像形成部１３Ｔ、１３Ｙ、１３Ｍ、１３Ｃ、１３Ｋは、水平方向に一定の間隔をおいて直列的に配置されている。尚、画像形成部１３Ｔが最上流に配置されている。
【００２７】
画像形成部１３Ｔ、１３Ｙ、１３Ｍ、１３Ｃ、１３Ｋのそれぞれは、使用するトナーの種類を除いて基本的にすべて同様に構成されている。画像形成部１３Ｔ、１３Ｙ、１３Ｍ、１３Ｃ、１３Ｋのそれぞれは、矢印Ａ方向に所定の回転速度で回転する感光体ドラム１５、感光体ドラム１５の周面を一様に帯電する一次帯電用のスコロトロン１６、感光体ドラム１５の周面に各色に対応した画像を露光して静電潜像を形成するＲＯＳ１４、感光体ドラム１５の周面に形成された静電潜像を対応する色のトナーで現像する現像装置１７、及びクリーニング装置１８から概略構成されている。
【００２８】
ＲＯＳ１４は、半導体レーザー１９を画像データに応じて変調して、半導体レーザー１９からレーザービームＬＢを画像データに応じて出射する。半導体レーザー１９から出射されたレーザービームＬＢは、反射ミラー２０、２１を介して回転多面鏡２２によって偏向走査され、不図示のｆ−θレンズで走査角度に応じて焦点距離が調整された状態で、複数枚の反射ミラー２３、２４等を介して像担持体としての感光体ドラム１５の周面に走査露光される。
【００２９】
画像処理装置１２からは、特色（Ｔ）、イエロー色（Ｙ）、マゼンタ色（Ｍ）、シアン色（Ｃ）、及びブラック色（Ｋ）の各色の画像形成部１３Ｔ、１３Ｙ、１３Ｍ、１３Ｃ、１３ＫのＲＯＳ１４Ｔ、１４Ｙ、１４Ｍ、１４Ｃ、１４Ｋに各色の画像データが順次出力され、これらのＲＯＳ１４Ｔ、１４Ｙ、１４Ｍ、１４Ｃ、１４Ｋから画像データに応じて出射されるレーザービームＬＢが、それぞれの感光体ドラム１５Ｔ、１５Ｙ、１５Ｍ、１５Ｃ、１５Ｋの周面に走査露光されて静電潜像が形成される。感光体ドラム１５Ｔ、１５Ｙ、１５Ｍ、１５Ｃ、１５Ｋの周面に形成された静電潜像は、現像装置１７Ｔ、１７Ｙ、１７Ｍ、１７Ｃ、１７Ｋによって、それぞれ特色（Ｔ）、イエロー色（Ｙ）、マゼンタ色（Ｍ）、シアン色（Ｃ）、及びブラック色（Ｋ）の各色のトナー像として現像される。
【００３０】
各画像形成部１３Ｔ、１３Ｙ、１３Ｍ、１３Ｃ、１３Ｋの感光体ドラム１５Ｔ、１５Ｙ、１５Ｍ、１５Ｃ、１５Ｋの周面に、順次形成された特色（Ｔ）、イエロー色（Ｙ）、マゼンタ色（Ｍ）、シアン色（Ｃ）、及びブラック色（Ｋ）の各色のトナー像は、各画像形成部１３Ｔ、１３Ｙ、１３Ｍ、１３Ｃ、１３Ｋの下方に配置された中間転写体としての中間転写ベルト２５の周面に、一次転写ロール２６Ｔ、２６Ｙ、２６Ｍ、２６Ｃ、２６Ｋによって重ね合わせた状態で転写される。尚、画像形成部１３Ｔは、特色（Ｔ）のトナー像を形成しない場合、感光体ドラム１５Ｔと中間転写ベルト２５とが離間するようにリトラクタするようになっている。
【００３１】
中間転写ベルト２５は、ドライブロール２７、テンションロール２８、ステアリングロール２９、アイドルロール３０、バックアップロール３１、及びアイドルロール３２の間に一定のテンションで掛け回され、不図示の定速性に優れた専用の駆動モータによって回転駆動されるドライブロール２７によって、矢印Ｂ方向に感光体ドラム１５Ｔ、１５Ｙ、１５Ｍ、１５Ｃ、１５Ｋと等しい所定の速度で循環駆動されるようになっている。中間転写ベルト２５としては、例えば、可撓性を有するポリイミド等の合成樹脂フィルムを無端状に形成したものが用いられる。
【００３２】
中間転写ベルト２５の周面に多重に転写された特色（Ｔ）、イエロー色（Ｙ）、マゼンタ色（Ｍ）、シアン色（Ｃ）、及びブラック色（Ｋ）の各色のトナー像は、バックアップロール３１に中間転写ベルト２５を介して圧接する二次転写ロール３３によって、圧接力及び静電気力で記録媒体としての記録用紙３４上に二次転写され、これらの各色のトナー像が転写された記録用紙３４は、搬送ベルト３５、３６によって定着装置３７へと搬送される。各色のトナー像が転写された記録用紙３４は、定着装置３７によって熱及び圧力で定着処理を受けて、片面プリントの場合には、そのまま排出トレイ４０上に排出される。尚、定着装置３７は、内部に熱源を有する加熱ロール３８、加熱ロール３８に対して圧接する加圧ロール３９とから概略構成されている。また、二次転写ロール３３とドライブロールとの間には、中間転写ベルト２５の周面に当接してクリーニング装置５０が設けられている。
【００３３】
記録用紙３４は、複数の用紙トレイ４１、４２のうちの何れかから所定のサイズや材質のものが、給紙ロール４３及び用紙搬送用のロール対４４、４５からなる用紙搬送経路４６を介して、レジストロール４７まで一旦搬送されて停止される。用紙トレイ４１、４２のうちの何れかから供給された記録用紙３４は、所定のタイミングで回転駆動されるレジストロール４７によって中間転写ベルト２５の二次転写位置に送出される。
【００３４】
また、記録用紙３４の両面に画像を形成する場合には、定着装置３７によって片面に画像が定着された記録用紙３４を、そのまま排出トレイ４０上に排出しないで、不図示の切り替えゲートによって、記録用紙３４の搬送経路を下方に切り替え、反転用の用紙搬送路４８に一旦搬送する。反転用の用紙搬送路４８に搬送された記録用紙３４は、搬送方向を反転した状態で、両面用の用紙搬送路４９及び通常の用紙搬送経路４６を介して、表裏が反転された状態で、再度、中間転写ベルト２５の二次転写位置まで搬送され、裏面の画像が形成された後、定着装置３７によって熱及び圧力で定着処理を受けて、排出トレイ４０上に排出される。
【００３５】
尚、フルカラープリンタ１は、制御部１００で画像情報から記録用紙３４に画像を形成する画像形成動作が制御される。
【００３６】
上記構成によって、本実施形態におけるフルカラープリンタ１は、イエロー色（Ｙ）、マゼンタ色（Ｍ）、シアン色（Ｃ）、及びブラック色（Ｋ）の一又は複数のトナーを用いて記録用紙３４に通常画像を形成する通常画像形成手段、並びに、イエロー色（Ｙ）、マゼンタ色（Ｍ）、シアン色（Ｃ）、及びブラック色（Ｋ）以外の特色（Ｔ）のトナーを用いて記録用紙３４に特色画像を形成する特色画像形成手段を備える。
【００３７】
また、本実施形態におけるフルカラープリンタ１は、特色（Ｔ）のトナーから形成される特色パターン画像を特色画像形成手段で記録用紙３４に形成する特色パターン画像形成手段、イエロー色（Ｙ）、マゼンタ色（Ｍ）、及びシアン色（Ｃ）の複数のトナーから形成されるＮ次色パターン画像を通常画像形成手段で記録用紙３４に形成するＮ次色パターン画像形成手段、特色パターン画像形成手段で形成された特色パターン画像の色とＮ次色パターン画像形成手段で形成されたＮ次色パターン画像の色とを比較するパターン画像色比較手段、並びに、パターン画像色比較手段で比較した結果に基づいてイエロー色（Ｙ）、マゼンタ色（Ｍ）、及びシアン色（Ｃ）の一又は複数の画像形成信号又は画像形成条件を補正する補正手段を備えている。
尚、画像形成信号を補正する補正手段は、入力画像信号を出力画像信号に変換する変換テーブルを補正する。また、画像形成条件を補正する補正手段は、画像形成における露光量、帯電電位、及び現像バイアス等の画像形成条件を補正する。
【００３８】
また、本実施形態におけるフルカラープリンタ１は、特色（Ｔ）のトナーの色を判別する特色判別手段、並びに、特色判別手段の判別情報に基づいて特色（Ｔ）となるようにＮ次色パターン画像形成手段でＮ次色パターン画像を形成するイエロー色（Ｙ）、マゼンタ色（Ｍ）、及びシアン色（Ｃ）の複数のトナーの使用割合を決定する使用割合決定手段を有している。
【００３９】
尚、特色判別手段は、特色画像形成手段に設けられている特色（Ｔ）の色情報を記憶する色情報記憶手段、及び色情報記憶手段に記憶されている特色（Ｔ）の色情報を読み出す色情報読出手段である。
【００４０】
また、本実施形態におけるフルカラープリンタ１は、使用割合決定手段で決定したイエロー色（Ｙ）、マゼンタ色（Ｍ）、及びシアン色（Ｃ）の複数のトナーの使用割合で形成したＮ次色パターン画像に対して、イエロー色（Ｙ）、マゼンタ色（Ｍ）、及びシアン色（Ｃ）の複数のトナーの使用割合又はイエロー色（Ｙ）、マゼンタ色（Ｍ）、及びシアン色（Ｃ）の一又は複数の画像形成条件を複数段階に変更したＮ次色パターン画像を複数形成するＮ次色パターン画像複数形成手段を有している。
【００４１】
尚、パターン画像色比較手段は、記録用紙３４に形成された特色パターン画像の色とＮ次色パターン画像形成手段で形成されたＮ次色パターン画像の色とを目視で比較することでカラーバランスをマニュアル調整するマニュアル調整手段である。
【００４２】
図２は、本実施形態においてカラーバランスを調整するため記録用紙３４に形成される画像（テストパターン）を示す図である。
【００４３】
本テストパターンの上部には、「左側の特色パターンと右側の２次色パターンを比較し同じ色になる番号を選択して入力してください」というマニュアル調整のための文章が形成されている。
【００４４】
本テストパターンにおける上記文章の下部には、左側に、特色（Ｔ）で形成された特色パターン画像が形成され、右側に、使用割合決定手段で決定したイエロー色（Ｙ）、マゼンタ色（Ｍ）、及びシアン色（Ｃ）の二色のトナーの使用割合で形成した２次色パターン画像に対して、イエロー色（Ｙ）、マゼンタ色（Ｍ）、及びシアン色（Ｃ）の二色のトナーの使用割合又はイエロー色（Ｙ）、マゼンタ色（Ｍ）、及びシアン色（Ｃ）の一又は二色の画像形成条件を複数段階に変更した２次色パターン画像が複数形成されている。
【００４５】
ユーザは、左側の特色パターンと右側の２次色パターンを比較し同じ色になる番号を選択して、フルカラープリンタ１に設けられている不図示のオペレーションパネルに入力する。
【００４６】
フルカラープリンタ１は、オペレーションパネルから入力された情報に基づいて補正手段でイエロー色（Ｙ）、マゼンタ色（Ｍ）、及びシアン色（Ｃ）の一又は複数の画像形成信号又は画像形成条件を補正する。
【００４７】
[第１変形例]
次に、本発明に係る画像形成装置における第１実施形態の第１変形例について説明する。尚、本実施形態において、第１実施形態に示す構成と同一の構成については、同一符号を付すことでその説明を省略する。
【００４８】
図３は、本変形例においてカラーバランスを調整するため記録用紙３４に形成される画像（テストパターン）を示す図である。
【００４９】
本テストパターンの上部には、「左側の特色パターンと右側の２次色パターンを比較し同じ色になる番号を選択して入力してください」というマニュアル調整のための文章が形成されている。
【００５０】
本テストパターンにおける上記文章の下部には、左側に、特色（Ｔ）で形成された特色パターン画像が形成され、右側に、使用割合決定手段で決定したイエロー色（Ｙ）、マゼンタ色（Ｍ）、及びシアン色（Ｃ）の二色のトナーの使用割合で形成した２次色パターン画像に対して、イエロー色（Ｙ）、マゼンタ色（Ｍ）、及びシアン色（Ｃ）の二色のトナーの使用割合又はイエロー色（Ｙ）、マゼンタ色（Ｍ）、及びシアン色（Ｃ）の一又は二色の画像形成条件を複数段階に変更した２次色パターン画像が複数形成されている。
【００５１】
尚、上記パターンは、高濃度（Ｈｉ）、中濃度（Ｍｉｄ）、及び低濃度（Ｌｏｗ）の３階調で形成されている。
【００５２】
ユーザは、左側の特色パターンと右側の２次色パターンを比較し同じ色になる番号を選択して、フルカラープリンタ１に設けられている不図示のオペレーションパネルに入力する。
【００５３】
フルカラープリンタ１は、オペレーションパネルから入力された情報に基づいて補正手段でイエロー色（Ｙ）、マゼンタ色（Ｍ）、及びシアン色（Ｃ）の一又は複数の画像形成信号又は画像形成条件を補正する。
【００５４】
[第２変形例]
次に、本発明に係る画像形成装置における第１実施形態の第２変形例について説明する。尚、本実施形態において、第１実施形態に示す構成と同一の構成については、同一符号を付すことでその説明を省略する。
【００５５】
本変形例において、パターン画像色比較手段は、記録用紙３４に形成された特色パターン画像の色とＮ次色パターン画像形成手段で形成されたＮ次色パターン画像の色とをカラー検知手段で比較することでカラーバランスを自動調整する自動調整手段である。
【００５６】
図４は、本変形例においてカラーバランスを調整するため記録用紙３４に形成される画像（テストパターン）を示す図である。
【００５７】
本テストパターンの上部には、「本面が下側になるようにスキャナの上に置いてください」という自動調整のための文章が形成されている。
【００５８】
本テストパターンにおける上記文章の下部には、左側に、特色（Ｔ）で形成された特色パターン画像が形成され、右側に、使用割合決定手段で決定したイエロー色（Ｙ）、マゼンタ色（Ｍ）、及びシアン色（Ｃ）の二色のトナーの使用割合で形成した２次色パターン画像に対して、イエロー色（Ｙ）、マゼンタ色（Ｍ）、及びシアン色（Ｃ）の二色のトナーの使用割合又はイエロー色（Ｙ）、マゼンタ色（Ｍ）、及びシアン色（Ｃ）の一又は二色の画像形成条件を複数段階に変更した２次色パターン画像が複数形成されている。
【００５９】
尚、上記パターンは、高濃度（Ｈｉ）、中濃度（Ｍｉｄ）、及び低濃度（Ｌｏｗ）の３階調で形成されている。
【００６０】
ユーザは、画像読取装置４（スキャナ）のプラテンガラス５上にテストパターンを載置する。
【００６１】
フルカラープリンタ１は、画像読取装置４からの入力画像信号に基づいて補正手段でイエロー色（Ｙ）、マゼンタ色（Ｍ）、及びシアン色（Ｃ）の一又は複数の画像形成信号又は画像形成条件を補正する。
【００６２】
尚、本変形例においては、スキャナの代わりに、記録用紙３４が排出される定着装置３７か排出トレイ４０の間に設けられるＣＣＤ等のカラーセンサを用いることもできる。
【００６３】
図５は、本実施形態における入力画像信号と出力画像信号との関係を示す図である。本実施形態では、入力画像信号が補正手段で補正されて出力画像信号になる。
【００６４】
また、本実施形態においては、画像情報に基づいてイエロー色（Ｙ）、マゼンタ色（Ｍ）、及びシアン色（Ｃ）の複数のトナーによる通常画像を形成する際に、イエロー色（Ｙ）、マゼンタ色（Ｍ）、及びシアン色（Ｃ）の複数のトナーによる通常画像の一部を特色（Ｔ）のトナーによる特色画像に置換する通常画像置換手段を有する。
【００６５】
また、本実施形態においては、画像情報に基づいてイエロー色（Ｙ）、マゼンタ色（Ｍ）、及びシアン色（Ｃ）の複数のトナーによる通常画像を形成する際に、特色（Ｔ）のトナーが消尽した場合、特色画像を、イエロー色（Ｙ）、マゼンタ色（Ｍ）、及びシアン色（Ｃ）の複数のトナーによる通常画像に置換する特色画像置換手段を有する。
【００６６】
また、本実施形態において、特色画像形成手段は、特色（Ｔ）を他の特色（Ｔ）に交換することができる。フルカラープリンタ１では、特色（Ｔ）の画像形成部１５Ｔが他の特色（Ｔ）の画像形成部１５Ｔに交換できるようになっている。
【００６７】
以上、本実施形態によれば、通常画像形成手段でイエロー色（Ｙ）、マゼンタ色（Ｍ）、及びシアン色（Ｃ）の複数のトナーを用いて通常画像を記録用紙３４に形成する際のトナー総量を、画像情報に基づいてイエロー色（Ｙ）、マゼンタ色（Ｍ）、及びシアン色（Ｃ）の複数のトナーによる通常画像を形成する際に、イエロー色（Ｙ）、マゼンタ色（Ｍ）、及びシアン色（Ｃ）の複数のトナーによる通常画像の一部を特色（Ｔ）のトナーによる特色画像に置換して低減することで、転写工程及び定着工程において転写不良及び定着不良が発生することを防止する、また、通常画像形成手段でイエロー色（Ｙ）、マゼンタ色（Ｍ）、及びシアン色（Ｃ）の複数のトナーを用いて通常画像を記録用紙３４に形成する際に、再現画像における混色の色味の調整を実施することで、画像情報における混色の色味の再現性が低下することを防止する、また、特色画像形成手段でイエロー色（Ｙ）、マゼンタ色（Ｍ）、シアン色（Ｃ）、及びブラック色（Ｋ）以外の特色（Ｔ）のトナーを用いて記録用紙３４に形成される特色画像と、通常画像形成手段でイエロー色（Ｙ）、マゼンタ色（Ｍ）、及びシアン色（Ｃ）の複数のトナーを用いて記録用紙３４に形成される通常画像との色味が合わないため、再現画像における色味の連続性が損なわれ再現画像においてトーンジャンプが発生することを防止することができる。
【００６８】
[第２実施形態]
次に、本発明に係る画像形成装置における第２実施形態について説明する。尚、本実施形態において、第１実施形態に示す構成と同一の構成については、同一符号を付すことでその説明を省略する。
【００６９】
本実施形態においては、像担持体の周面に色の濃度を検出するための濃度パターンを形成する濃度パターン形成手段、濃度パターン形成手段で形成された濃度パターンの色の濃度を検出する濃度検出手段（カラーセンサ）、濃度検出手段で検出した特色の濃度に基づいて濃度検出手段を較正する較正手段を有する。
【００７０】
図６は、本実施形態における画像形成装置としてのタンデム方式のフルカラープリンタ２００を示す図である。本フルカラープリンタ２００には、像担持体としての中間転写ベルト２５の周辺であって画像形成部１３Ｋの下流側にカラーセンサ２０２が設けられている。
【００７１】
尚、特色（Ｔ）が白色である場合には、カラーセンサ２０２で検出する検出値は検出可能範囲のほぼ飽和領域となる。
【００７２】
尚、像担持体としては、上記中間転写ベルト２５の他に、感光体ドラム又は用紙搬送ベルトとすることができる。
【００７３】
以上、本実施形態によれば、濃度パターン形成手段で像担持体の周面に形成された特色（Ｔ）の濃度パターンをカラーセンサ２０２で検出して較正手段でカラーセンサ２０２の較正を実行するため、カラーセンサ２０２のバラツキを抑制することができてカラーセンサ２０２の検出精度を向上することができる。
【００７４】
尚、本発明は上記実施形態に限定されるものではなく、本発明の要旨の範囲内において種々の変形実施が可能である。
例えば、上記実施形態で画像形成装置はタンデム方式のフルカラープリンタ１であるが、ロータリ方式の画像形成装置に本発明を適用することができる。
また、上記実施形態のフルカラープリンタ１は電子写真方式による画像形成装置であるが、インクジェット方式の画像形成装置に本発明を適用することができる。
【図面の簡単な説明】
【００７５】
【図１】図１は、第１実施形態における画像形成装置としてのタンデム方式のフルカラープリンタを示す図である。
【図２】図２は、第１実施形態においてカラーバランスを調整するため記録用紙に形成される画像（テストパターン）を示す図である。
【図３】図３は、第１実施形態の第１変形例においてカラーバランスを調整するため記録用紙に形成される画像（テストパターン）を示す図である。
【図４】図４は、第１実施形態の第２変形例においてカラーバランスを調整するため記録用紙３４に形成される画像（テストパターン）を示す図である。
【図５】図５は、第１実施形態における入力画像信号と出力画像信号との関係を示す図である。
【図６】図６は、第２実施形態における画像形成装置としてのタンデム方式のフルカラープリンタを示す図である。
【符号の説明】
【００７６】
１、２００：フルカラープリンタ（画像形成装置）、３４：記録用紙（記録媒体）、２０２：カラーセンサ（濃度検出手段）
【図１】
2007279267.tif 000003
【図２】
2007279267.tif 000004
【図３】
2007279267.tif 000005
【図４】
2007279267.tif 000006
【図５】
2007279267.tif 000007
【図６】
2007279267.tif 000008